(57)【特許請求の範囲】
【請求項１】
無線通信システムによってサービングされるローミング移動体ノード（ＭＮ）に、選択されたインターネットプロトコル（ＩＰ）マルチメディアアプリケーションへのＩＰマルチメディアサブシステム（ＩＭＳ）を介したアクセスを提供するための方法であって、
（ａ）該ＭＮと該ＭＮがローミングするビジテッドネットワークのローカルアクセスゲートウェイとの間に第１のＩＰトンネルを確立するステップであって、該第１のトンネルが該ローカルアクセスゲートウェイでアンカリングされるものである、ステップ、
（ｂ）該ＭＮと該ＭＮが属するホームネットワークのホームゲートウェイとの間に第２のＩＰトンネルを確立するステップであって、該第２のトンネルが該ホームゲートウェイでアンカリングされるものである、ステップ、
（ｃ）該ＭＮに対する該ローカルアクセスゲートウェイでデータパケットを受信するステップ、
（ｄ）異なるサービス品質（ＱｏＳ）レベルで該第１のトンネル内でサポートされる複数のデータフローの１つに対応のトラフィックを分類するために該ローカルアクセスゲートウェイで受信された該パケットをフィルタリングするステップ、
（ｅ）該ＭＮに対する該ホームゲートウェイでデータパケットを受信するステップ、
（ｆ）異なるＱｏＳレベルで該第２のトンネル内でサポートされる複数のデータフローの１つに対応のトラフィックを分類するために該ホームゲートウェイで受信された該パケットをフィルタリングするステップ、
（ｇ）該ホームゲートウェイから、ネットワーク又はネットワークサブシステムの少なくとも１つに、該第２のトンネル内で現在サポートされているデータフローの１以上に対するＱｏＳを反映するＱｏＳ表示を通信するステップであって、該ネットワーク又はネットワークサブシステムの少なくとも１つを通じて該第２のトンネルが確立される、ステップ、及び
（ｈ）該第２のトンネル内でサポートされるデータフローに対してＩＰマルチメディアアプリケーションへのアクセス許可及びＱｏＳレベルの確立の少なくとも１つを規制する１以上のポリシー規則に従って該ホームゲートウェイでポリシー施行を提供するステップ
を備える方法。
【請求項２】
請求項１の方法であって、さらに、
前記第１のトンネル内でサポートされるデータフローに対してＩＰマルチメディアアプリケーションへのアクセス許可及びＱｏＳレベルの確立の少なくとも１つを規制する１以上のポリシー規則に従って前記ローカルアクセスゲートウェイでポリシー施行を提供するステップ
を備える方法。
【請求項３】
請求項１の方法において、前記ホームゲートウェイでパケットをフィルタリングするステップが、各パケットのヘッダ内に含まれる５タプルアドレスに基づき、該５タプルアドレスが送信元ＩＰアドレス、送信元ポート、宛先ＩＰアドレス、宛先ポート及びプロトコル識別を含むものである、方法。
【請求項４】
請求項１の方法において、前記ローカルアクセスゲートウェイでパケットをフィルタリングするステップが、一連のフィルタに合致するトラフィックが所定のパケットデータプロトコル（ＰＤＰ）コンテキスト上でルーティングされることを可能とする一連のフィルタを備えたトラフィック・フロー・テンプレート（ＴＦＴ）を用いて実行されるものであり、該ＰＤＰコンテキストが前記ＭＮとＰＤＮ（公衆データネットワーク）の間の論理上の関連を表すデータ構造体であって該関連の側面を定義するものであり、該側面がトラフィックルーティング及びＱｏＳの少なくとも１つに関係するものである、方法。
【請求項５】
無線通信ネットワークによってサービングされるローミングする移動体ユーザ機器（ＵＥ）に、選択されたインターネットプロトコル（ＩＰ）マルチメディアアプリケーションへのＩＰマルチメディアサブシステム（ＩＭＳ）を介したアクセスを提供する無線通信ネットワークであって、
該ＵＥがローミングしているビジテッドネットワークの一部であるローカルアクセスゲートウェイ、
該ＵＥと該ローカルアクセスゲートウェイの間で確立される第１のＩＰトンネルであって、該ローカルアクセスゲートウェイでアンカリングされる第１のＩＰトンネル、
該ＵＥが属するホームネットワークの一部であるホームゲートウェイ、
該ＵＥと該ホームゲートウェイの間で確立される第２のＩＰトンネルであって、該ホームゲートウェイでアンカリングされる第２のＩＰトンネル、
該ローカルアクセスゲートウェイで実施される第１のパケット分類機能であって、異なるサービス品質（ＱｏＳ）レベルで該第１のトンネル内でサポートされる複数のデータフローの１つに対応のトラフィックを分類するように、該ＵＥに対する該ローカルアクセスゲートウェイで受信されたデータパケットをフィルタリングするように動作する第１のパケット分類機能、
該ホームゲートウェイで実施される第２のパケット分類機能であって、異なるＱｏＳレベルで該第２のトンネル内でサポートされる複数のデータフローの１つに対応のトラフィックを分類するように、該ＵＥに対する該ホームゲートウェイで受信されたデータパケットをフィルタリングするように動作する第２のパケット分類機能、及び
該ホームゲートウェイで実施されるポリシー施行機能を備え、
該ポリシー施行機能が、該第２のトンネル内でサポートされるデータフローに対する該ＩＰマルチメディアアプリケーションへのアクセス許可及びＱｏＳレベルの確立の少なくとも１つをポリシー規則に従って規制するように動作するものであり、
該第２のトンネルでサポートされるデータフローが、外部ネットワーク又は外部ネットワークサブシステムの少なくとも１つに対して透明となるように、該第２のトンネルは、該外部ネットワーク又は外部ネットワークサブシステムの少なくとも１つを通じて確立され、
該ホームゲートウェイが、該外部ネットワーク又は外部ネットワークサブシステムの少なくとも１つに、該第２のトンネル内で現在サポートされている該データフローの少なくとも１つのＱｏＳレベルを通知するように構成される、ネットワーク。
【請求項６】
請求項５のネットワークであって、さらに、
前記ローカルアクセスゲートウェイで実施されるポリシー施行機能を備え、該ポリシー施行機能が、前記第１のトンネル内でサポートされるデータフローに対する前記ＩＰマルチメディアアプリケーションへのアクセス許可及びＱｏＳの確立の少なくとも１つをポリシー規則に従って規制するように動作するものである、ネットワーク。
【請求項７】
請求項１の方法であって、さらに、
前記ポリシー施行を提供するために、前記ホームゲートウェイで実施される施行機能へ前記ポリシー規則を公表するステップであって、前記ポリシー規則は、前記ＭＮに関連する契約プロファイルを含む加入者ポリシーリポジトリ（ＳＰＲ）及び前記ホームネットワークのポリシー制御規則機能（ＲＣＲＦ）の少なくとも１つから公表される、ステップ
を備える方法。
【請求項８】
請求項１の方法であって、前記通信するステップは、
前記ネットワーク又はネットワークサブシステムの少なくとも１つにおける対応のＱｏＳレベルを適用するために、前記第２のトンネル内側から前記第２のトンネルの外側の差別化サービスコードポイント（ＤＳＣＰ）へ、ＱｏＳレベルを複製するステップであって、前記ネットワーク又はネットワークサブシステムの少なくとも１つを通じて前記第２のトンネルが確立される、ステップを含む、方法。
【請求項９】
請求項５のネットワークであって、さらに、
前記ＵＥに関連する契約プロファイルを含む加入者ポリシーリポジトリ（ＳＰＲ）及び前記ホームネットワークのポリシー制御規則機能（ＲＣＲＦ）の少なくとも１つを備え、
前記ポリシー規則は、前記ＵＥに関連する契約プロファイルを含む加入者ポリシーリポジトリ（ＳＰＲ）及び前記ホームネットワークのポリシー制御規則機能（ＲＣＲＦ）の少なくとも１つから、前記ポリシー施行へ公表している、ネットワーク。
【請求項１０】
請求項５のネットワークであって、前記ホームゲートウェイは、対応のＱｏＳが前記第２のトンネルの外側で適用されるように、前記外部ネットワーク又は前記外部ネットワークサブシステムの少なくとも１つにより用いられる差別化サービスコードポイント（ＤＳＣＰ）へ、前記第２のトンネル内側からＱｏＳレベルを複製する、ネットワーク。
【発明の詳細な説明】
【技術分野】
【０００１】
本発明の主題は無線通信ネットワークに関する。具体的なアプリケーションはインターネットプロトコル（ＩＰ）マルチメディアネットワークとの関連で見出され、本明細書がその具体的参照となる。しかし、本発明の主題の側面は他の同様のネットワーク、デバイス及び／又はアプリケーションに対しても修正できる。
【背景技術】
【０００２】
無線通信技術で知られるように、ＩＰマルチメディアシステム（ＩＭＳ）は、ＩＰマルチメディアを無線移動体デバイスユーザに配信するための（無線標準化団体第３世代パートナーシッププロジェクト（３ＧＰＰ）によって当初設計された）アーキテクチャのフレームワークである。即ち、ＩＭＳは無線通信システム又はネットワーク内のＩＰマルチメディアアプリケーション及び／又はサービスの使用をサポートする。概略として、ＩＭＳによって無線ネットワークサービスプロバイダ及び／又はオペレータは、彼らの加入者（即ち、移動体ユーザ）に、インターネットアプリケーション、サービス及び／又はプロトコル（例えば、ＳＩＰ（セッション開始プロトコル）を含み、ＩＰマルチメディアセッションを管理するように使用される）に基づいて及び／又はその上に構築されるマルチメディアサービスを提供することが可能となる。
【０００３】
一般的に、無線通信及び／又はパケット交換ネットワークの分野では、サービス品質（ＱｏＳ）という文言はリソース予約制御メカニズムに関する。例えば、これらのメカニズムは異なるＱｏＳレベル及び／若しくは分類を異なるユーザ及び／若しくはデータフローに提供し、又は確立された規則及び／若しくはポリシーに従って所定レベルの性能をネットワークトラフィックに与える。例えば、（リアルタイム又はインタラクティブトラフィックのような）あるトラフィックタイプは一般的に、充分な性能を達成するためにより高いＱｏＳレベルを要求する一方で、他のタイプのトラフィックにはより低いＱｏＳレベルで充分である。任意の所与の時間において、その時間に進行している特定のトラフィック負荷に利用できるネットワークリソースの量は限られている。従って、通常は、リソース割当て及び／又は管理（例えば、帯域幅占有、ジッタ及び／又は遅延制御、損失特性管理等）を最適化するために各データフローが示すトラフィックのタイプに基づいて異なるデータフローに対して異なるＱｏＳレベルを与えるのが望ましい。
【０００４】
普通は、ＩＭＳを介した種々のマルチメディアアプリケーション及び／若しくはサービスへのアクセスを許可し、並びに／又はＱｏＳレベルを設定し或いは決定するための規則及び／又はポリシーは、ポリシー制御規則機能（ＰＣＲＦ）の支援を受けて確立される。ポリシー機能は一般的に種々のネットワークリソースを調整して、要求されたサービスを許可された加入者に適切なＱｏＳレベルで提供する。それは加入者が利用しようとするサービスについてポリシー規則を特定する責任を担う。ポリシー制御アーキテクチャは動的なＱｏＳを決定及び施行し、特定の要求サービスを提供する際に関与するネットワーク基盤要素に対するアクセス許可ポリシーを規制する。ＰＣＲＦはポリシー規則の決定についてリアルタイムで指定されるノードである。例えば、ポリシー規則のセットは、全てリアルタイムでアクセス許可を認証し、ＱｏＳ等を管理する。ＰＣＲＦはこれらのポリシー規則を、アクセスゲートウェイノードで実装されるポリシー制御施行機能（ＰＣＲＦ）とのインタラクションによって施行する。ポリシー規則は（例えば、加入者ポリシーリポジトリ（ＳＰＲ）に保持された契約プロファイルのような）静的な情報、動的な情報、及び利用可能なリソースに基づいて公式化できる。従って、そのような規則の組合せがサービス要求に合致すると、それによって要求帯域幅又は適切なＱｏＳレベルのサービスを許可し、又はそのサービスを拒否する等の所望のアクションをトリガできる。ポリシー規則に対するこのタイプのフレームワークによって、無線ネットワークオペレータがネットワークリソースを最適に利用しつつもサービスロジックを配備することが可能となる。
【０００５】
ここで図１を参照すると、ビジテッド及びホーム通信ネットワークの関連部分が示される。標準的な無線又は移動体ローミングのシナリオでは、マルチメディアが可能となった移動ノード（ＭＮ）、移動体端末（ＭＴ）又は移動局（ＭＳ）・・・ここでは概してユーザ機器（ＵＥ）１０という・・・は２つのＩＰトンネル２０及び２２をサポートして選択ＩＰマルチメディアアプリケーション及び／又はサービスに、例えば適切なＩＭＳを介して、アクセスすることができる。この態様で２つのＩＰトンネルを使用することは一般にデュアルＩＰアンカリングと言われる。当然分かるように、各トンネルは一般に種々の異なるタイプのトラフィック又はデータフローをＵＥ１０へ及び／又はそこから搬送することができる。
【０００６】
図示するように、第１のＩＰトンネル２０は一般にローカル即ちビジテッドネットワークで、即ち、ローカルアクセスゲートウェイ３０でアンカリングされる。一般的に、トンネル２０は通常、ベアラトラフィックをＵＥ１０へ及び／又はそこから搬送する。トンネル２０をローカルにアンカリングすることによって、ベアラトラフィックのルーティングが、例えば、このトラフィックをホームネットワークにバックホールしなくてもよいことによって、最適化される。従って、トランスポート、機器のコスト及び／又はオーバーヘッドの削減が実現される。第２のＩＰトンネル２２は一般にホームネットワークで、即ち、ホームゲートウェイ４０でアンカリングされる。一般的に、トンネル２２は通常、制御信号及び／又はアプリケーションデータをＵＥ１０へ及び／又はそこから搬送する。このような態様で、ホームネットワークは、ＩＭＳを介してＵＥ１０にアクセスされるＩＰマルチメディアアプリケーション及び／又はサービスにわたって充分な程度の制御をより簡単に維持することができる。
【０００７】
しかし、従来の実施例では、パケットフィルタリング及びポリシーエンフォースメントは、トンネル２０によって搬送されるトラフィックのためにローカルアクセスゲートウェイ３０において適用され及び／又はサポートされるだけである。図示するように、これはローカルアクセスゲートウェイ３０で実施されるパケット分類機能及び／又はＰＣＥＦ３２によってなされる。即ち、一般的に、パケットフィルタリングは、ベストエフォート、リアルタイム音声及び映像等の特定のトラフィックタイプに適した適当なＱｏＳレベルを各々が有する複数の個々のサービス又はデータフロー（例えば、データフロー２０ａ、２０ｂ、・・・２０ｎ）へのダウンリンクトラフィック（即ち、トンネル２０によってＵＥ１０へ搬送されるトラフィック）を分類するために、ローカルアクセスゲートウェイ３０に適用されるだけである。同様に、ポリシーエンフォースメントも、例えば、ＳＰＲ５０、ホームＰＣＲＦ（ｈＰＣＲＦ）５２及び／又はビジテッドＰＣＲＦ（ｖＰＣＲＦ）５４からＰＣＥＦ３２に伝達されるポリシー規則に従ってローカルアクセスゲートウェイ３０でサポートされるだけである。
【０００８】
図示するアーキテクチャから分かるように、パケット分類及び／又はポリシー施行はトンネル２２についてホームゲートウェイ４０では従来からサポートされていない。むしろ、全てのタイプの「ホームトラフィック」は１つのトンネル２２内で移送される。結果として、トンネル２２でのＱｏＳ差別化の欠如によって、高い優先度のトラフィックに対する輻輳及び／又は遅延をもたらし、全体リソース効率を無用に低下させてしまう。
【０００９】
従って、上記の問題その他を克服する新たな改善されたシステム及び／又は方法が提供される。
【発明の概要】
【課題を解決するための手段】
【００１０】
一実施例によると、選択されたインターネットプロトコル（ＩＰ）マルチメディアアプリケーションへのＩＰマルチメディアサブシステム（ＩＭＳ）を介したアクセスをサポートする方法が、無線通信システムによってサービングされるローミング中の移動体ノード（ＭＮ）に対して提供される。その方法は、ＭＮとそのＭＮがローミングするビジテッドネットワークのローカルアクセスゲートウェイとの間にローカルアクセスゲートウェイでアンカリングされる第１のＩＰトンネルを確立するステップ、ＭＮとそのＭＮが属するホームネットワークのホームゲートウェイとの間にホームゲートウェイでアンカリングされる第２のＩＰトンネルを確立するステップ、ＭＮに対するローカルアクセスゲートウェイでデータパケットを受信するステップ、異なるサービス品質（ＱｏＳ）レベルで第１のトンネル内でサポートされる複数のデータフローの１つに対応のトラフィックを適宜分類するためにローカルアクセスゲートウェイで受信されたパケットをフィルタリングするステップ、ＭＮに対するホームゲートウェイでデータパケットを受信するステップ、及び異なるＱｏＳレベルで第２のトンネル内でサポートされる複数のデータフローの１つに対応のトラフィックを適宜分類するためにホームゲートウェイで受信されたパケットをフィルタリングするステップを含む。
【００１１】
他の実施例によると、無線通信ネットワークは、無線通信ネットワークによってサービングされているローミング中の移動体ユーザ機器（ＵＥ）に、選択されたインターネットプロトコル（ＩＰ）マルチメディアアプリケーションへのＩＰマルチメディアサブシステム（ＩＭＳ）を介したアクセスを提供する。そのネットワークは、ＵＥがローミングしているビジテッドネットワークの一部であるローカルアクセスゲートウェイ、ＵＥとローカルアクセスゲートウェイの間で確立される第１のＩＰトンネルであってローカルアクセスゲートウェイでアンカリングされる第１のＩＰトンネル、ＵＥが属するホームネットワークの一部であるホームゲートウェイ、ＵＥとホームゲートウェイの間で確立される第２のＩＰトンネルであってホームゲートウェイでアンカリングされる第２のＩＰトンネル、ローカルアクセスゲートウェイで実施される第１のパケット分類機能であって、異なるサービス品質（ＱｏＳ）レベルで第１のトンネル内でサポートされる複数のデータフローの１つに対応のトラフィックを適宜分類するように、ＵＥに対するローカルアクセスゲートウェイで受信されたデータパケットをフィルタリングするように動作する第１のパケット分類機能、及びホームゲートウェイで実施される第２のパケット分類機能であって、異なるＱｏＳレベルで第２のトンネル内でサポートされる複数のデータフローの１つに対応のトラフィックを適宜分類するように、ＵＥに対するホームゲートウェイで受信されたデータパケットをフィルタリングするように動作する第２のパケット分類機能を含む。
【００１２】
ここに開示される発明の主題の多数の有利な効果及び利益は本明細書を読み、理解すれば当業者には明らかとなる。
【００１３】
発明の主題は様々な部材及び部材の構成並びに様々なステップ及びステップの構成の形態をとり得る。図面は好適な実施例の例示目的のみのものであり、限定的なものとして解釈されるものではない。また、図面は寸法通りではないことが理解されるべきである。
【図面の簡単な説明】
【００１４】
【図１】図１は無線ローミングのシナリオとの関係においてデュアルＩＰアンカリングを実施する従来のネットワークアーキテクチャを示すブロック図である。
【図２】図２は、本発明の主題の側面を実施するのに適した無線ローミングシナリオとの関係においてデュアルＩＰアンカリングを実施する例示のネットワークアーキテクチャを示すブロック図である。
【発明を実施するための形態】
【００１５】
説明の明瞭化及び簡明化のため、本明細書は、当技術で周知の構造的及び／又は機能的要素、関連の通信規格、プロトコル及び／又はサービス、並びに他の構成部材には、ここに開示される好適な実施例に従って及び／又はそれを適合させるために修正又は変形された範囲を除いてそれらの構成又は動作に関する更なる詳細な説明なしに言及するものとする。
【００１６】
本明細書は、デュアルＩＰアンカリングアプローチを用いて、ローミング中の無線又は移動体デバイスに、選択されたＩＰマルチメディアアプリケーション及び／又はサービスをＩＭＳを介して提供することに関する。より具体的には、本明細書は、ビジテッドネットワークトラフィックに対してだけでなくホームネットワークトラフィックに対してＱｏＳ、アクセス許可規制及び／又は管理をサポートするためのシステム及び／又は方法を記載する。上記の課題は、ＩＰトンネルの１つがアンカリングされるホームゲートウェイにおいて追加のパケットフィルタリング及び／又はポリシー施行サポートを実施することによって好適に達成される。
【００１７】
ここで図２に移ると、図１に示した従来のものと同様の通信ネットワークアーキテクチャが示され、ここでは同様の参照符号は同様の要素を特定している。しかし、注目すべきは、図２の実施例に示すホームゲートウェイ４０´にはパケット分類機能及び／又はＰＣＥＦ４２が装備され或いは設備されているが従来のホームゲートウェイ４０はそのような機能を含まず又はサポートしない点で、図２に示す実施例は図１のものと異なる。従って、図２に示す実施例によると、ＱｏＳ及びポリシーエンフォースメントがビジテッドネットワーク及びホームネットワークトラフィックの両方に適用され及び／又はサポートされる。一方、図１に示す従来の実施例によると、ＱｏＳ及びポリシーエンフォースメントはビジテッドネットワークトラフィックにのみ適用され及び／又はサポートされるがホームネットワークトラフィックには適用され及び／又はサポートされない。
【００１８】
図２には、特に、ホーム通信ネットワーク及びＵＥ１０（例えば、マルチメディアが可能となったＭＴ、ＭＳ又は他のＭＮ）がローミングするビジテッドネットワークの関連部分が示される。図示するように、ＵＥ１０は、選択されたＩＰマルチメディアアプリケーション及び／又はサービスに、例えば適当なＩＭＳを介して、アクセスするための２つのＩＰトンネル２０及び２２´をサポートする。上記のような態様で２つのＩＰトンネルを使用することを一般にデュアルＩＰアンカリングという。当然分かるように、各トンネルは選択的に種々の異なるタイプのトラフィック又はデータフローをＵＥ１０に及び／又はそこから搬送する。
【００１９】
図２に示す実施例では、第１のＩＰトンネル２０はローカル即ちビジテッドネットワーク、即ち、ローカルアクセスゲートウェイ３０にアンカリングされる。好ましくは、トンネル２０は通常、ベアラトラフィックをＵＥ１０へ及び／又はそこから搬送する。第２のＩＰトンネル２２´はホームネットワークで、即ち、ホームゲートウェイ４０´でアンカリングされる。好ましくは、トンネル２２´は通常、制御信号及び／又はアプリケーションデータをＵＥ１０へ及び／又はそこから搬送する。
【００２０】
通常の態様では、パケットフィルタリング及び／又はポリシーエンフォースメントはトンネル２０によって搬送されるトラフィックについてローカルアクセスゲートウェイ３０において適用され及び／又はサポートされる。図示するように、上記はローカルアクセスゲートウェイ３０で実施されるパケット分類機能及び／又はＰＣＥＦ３２によって達成される。例えば、パケットフィルタリングは、ベストエフォート、リアルタイム音声及び映像等の特定のトラフィックタイプに適した適当なＱｏＳレベルを各々が有する複数の個々のサービス又はデータフロー（例えば、データフロー２０ａ、２０ｂ、・・・２０ｎ）へのダウンリンクトラフィック（即ち、トンネル２０によってＵＥ１０へ搬送されるトラフィック）を分類するために、ローカルアクセスゲートウェイ３０に適用される。同様に、ポリシーエンフォースメントも、例えば、ＳＰＲ５０、ｈＰＣＲＦ５２及び／又はｖＰＣＲＦ５４からＰＣＥＦ３２に伝達されるポリシー規則に従ってローカルアクセスゲートウェイ３０でサポートされる。
【００２１】
選択的に、パケットフィルタリング及び／又は分類、トラフィック・フロー・テンプレート（ＴＦＴ）として周知のものを用いて通常の態様で分類はローカルアクセスゲートウェイ３０で実施されるパケット分類機能及び／又はＰＣＥＦ３２によって実行される。一般的に、ＴＦＴは、フィルタに合致するトラフィックが特定のパケットデータプロトコル（ＰＤＰ）コンテキスト上でルーティングされることを可能とする例えば８個の一連のフィルタである。例えば、ＰＤＰコンテキストはＵＥ１０とＧＰＲＳ（汎用パケット無線サービス）ネットワークにわたって稼動するＰＤＮ（公衆データネットワーク）との間の論理上の関連を表すデータ構造体である。コンテキストはルーティング、ＱｏＳ等のような側面を定義する。実際には、入来データパケットがローカルアクセスゲートウェイ３０に到着すると、そこで実施されるパケット分類機能がＰＤＰコンテキスト選択をＴＦＴに基づいて行い、入来データパケットを指定のＱｏＳ属性で正しいＰＤＰコンテキストにマッピングする。
【００２２】
３ＧＰＰによって規定されるユニバーサル移動通信システム（ＵＭＴＳ）では、前述のＰＤＰは一般的にはＧＰＲＳネットワークとの関係で使用される。もちろん代替的に、適用可能なアクセスネットワーク又はアーキテクチャは、例えば、第３世代パートナーシッププログラム２（３ＧＰＰ２）によって定義された符号分割多重アクセス（ＣＤＭＡ）及び／又は高速パケットデータ（ＨＰＲＤ）システムを含み得る。この場合、ポイントトゥポイントプロトコル（ＰＰＰ）がＭＮ（即ち、ＵＥ１０）とパケットデータサービングノード（ＰＤＳＮ）（即ち、ローカルアクセスゲートウェイ３０）の間で一般に採用され、場合によっては、例えば、ボイスオーバーＩＰ（ＶｏＩＰ）をサポートする等、３ＧＰＰ２によって後に採用された改良に従って非ＰＰＰがＭＮとＰＤＳＮの間で使用される。いずれにしても、本発明の主題はそのような変更したネットワーク、アーキテクチャ及び／又は通信プロトコルにも適用可能であることが分かる。
【００２３】
さらに、図２に示す実施例によると、パケットフィルタリング及び／又はポリシーエンフォースメントはまた、トンネル２２´によって搬送されるトラフィックに対するホームゲートウェイ４０´においても適用され及び／又はサポートされる。図示するように、これはホームゲートウェイ３０で実施されるパケット分類機能及び／又はＰＣＥＦ４２によって達成される。例えば、パケットフィルタリングは、ベストエフォート、リアルタイム音声及び映像等の特定のトラフィックタイプに適した適当なＱｏＳレベルを各々が有する複数の個々のサービス又はデータフロー（例えば、データフロー２０ａ、２０ｂ、・・・２０ｎ）へのダウンリンクトラフィック（即ち、ＵＥ１０へのトンネル２２´によって搬送されるトラフィック）を分類するためにホームゲートウェイ４０´に適用される。同様に、ポリシーエンフォースメントも、例えば、ＳＰＲ５０及び／又はｈＰＣＲＦ５２からＰＣＥＦ４２に伝達されるポリシー規則に従ってホームゲートウェイ４０´においてサポートされる。
【００２４】
より具体的には、図２の実施例によると、複数のデータフロー２２ａ、２２ｂ、・・・２２ｎが、ＵＥ１０とホームゲートウェイ４０´の間で確立されたＩＰトンネル２２´内で異なるＱｏＳレベルを割り当てられる。従って、ＵＥ１０に対するホームゲートウェイ４０´によって受信された入来トラフィックは、問題となる特定タイプのトラフィックに対して適当なＱｏＳを有するデータフロー２２ａ、２２ｂ、・・・２２ｎの１つにトラフィックを分類するためにパケット分類機能及び／又はＰＣＥＦ４２によってフィルタリングされる。好ましくは、前述のフィルタリングはＵＥ１０に関連付けられる標準ＩＰ５−タプルアドレスに基づいて実行される。
【００２５】
一般的に、ホームゲートウェイ４０´によって受信されたデータの各パケットは、例えば送信元ＩＰアドレス、送信元ポート、宛先ポート及びプロトコル識別を含む標準ＩＰ５タプルアドレスを一般に含むヘッダを含む。実際には、パケット分類機能及び／又はＰＣＥＦ４２は５タプルアドレスの値を検出するようにパケットヘッダを選択的に監視し、この情報に基づいて、例えばＳＰＲ５０及び／又はｈＰＣＲＦ５２からＰＣＥＦ４２へ伝達されたポリシー規則に従ってパケットに対する適当なＱｏＳレベルを設定し、或いは決定する。選択的に、上記の決定に従って、パケットは、対応するＱｏＳを有し及び／又はサポートするデータフロー２２ａ、２２ｂ、・・・２２ｎの１つにルーティングされ或いは向けられるようにマーク付けされ或いはタグ付けされる。好ましくは、パケットヘッダにおける適当なフィールドがパケットに対する所望の及び／又は適当なＱｏＳを示し或いは反映するようにマーク付けされ又は設定され、例えば、サービスタイプ（ＴｏＳ）バイト、差別化サービスコードポイント（ＤＳＣＰ）、サービスクラス（ＣｏＳ）フィールド等が選択的にそのようにマーク付け又は設定される。従って、同様に識別されたＱｏＳ指定を持つパケットは、同じデータフロー、即ち、対応するＱｏＳを有し及び／又はサポートするデータフロー２２ａ、２２ｂ、・・・２２ｎの１つに適宜統合される。この態様では概して、トンネル２２´におけるＱｏＳ差別化の確立によって、より効率的なリソース割当て及び／若しくは利用がもたらされ、並びに／又はホームネットワークからの高い優先度トラフィックについての輻輳及び／若しくは遅延が緩和される傾向となる。
【００２６】
図２には示していないが、実際にはホームゲートウェイ４０とＵＥ１０の間に確立されたＩＰトンネル２２´は、例えば無線アクセスネットワーク（ＲＡＮ）のような１以上の種々のタイプのネットワーク及び／又はネットワークサブシステムをトンネルし、及び／又は拡張若しくは通過する。トンネル２２´が通過する前述のネットワーク又はネットワークサブシステムは一般にＩＰトンネル２２´の外部又は外側に存在するものとして見ることができる。即ち、ＩＰトンネル２２´内で割り当てられたデータフロー２２ａ、２２ｂ、・・・２２ｎは通常、トンネル２２´が通る外部又は外側ネットワーク及び／又はネットワークサブシステムに対して透明である。従って、ホームゲートウェイ４０は、任意の時間でトンネル２２´内で搬送されるデータフロー２２ａ、２２ｂ、・・・２２ｎに対する特定のＱｏＳレベルを外部又は外側ネットワークに通知するように選択的に設備される。好ましくは、例えば、これは問題となる特定の時間においてトンネル２２´内で搬送されるデータフロー２２ａ、２２ｂ、・・・２２ｎを形成するパケットのヘッダからＤＳＣＰ値を送信或いは通信することによって達成される。従って、トンネル２２´が通る外部又は外側ネットワーク及び／又はネットワークサブシステムは、任意の時間においてトンネル２２´内で搬送される透明なデータフロー２２ａ、２２ｂ、・・・２２ｎに対するＱｏＳレベルを（好ましくはパケット毎に）充分にサポートするような態様で、リソースを割り当て、及び／又は「外側」トンネル２２´に対するＱｏＳを（例えば、ホームゲートウェイ４０によってそこに通信されるＤＳＣＰ値に対応するように外部又は外側ネットワーク及び／又はネットワークサブシステムにおけるＤＳＣＰを適切に設定することによって）適切に選択することができる。
【００２７】
結論として、ここに開示された特定の実施例との関係において、所定の構造及び／又は機能の特徴は規定された要素及び／又は部材に取り入れられているものとして記載されることが理解されるべきである。しかし、これらの特徴は、同一又は類似の利益について、他の要素及び／又は部材に適切な態様で同様に取り入れられ得ることが理解される。また、実施例の異なる側面が、所望のアプリケーションに適した他の変形実施例を達成するのに適当な態様で選択的に採用され、他の変形実施例がそれによってそこに取り入れられる側面のそれぞれの有利な効果を実現することが理解されるべきである。
【００２８】
また、ここに記載される特定の要素又は部材はハードウェア、ソフトウェア、ファームウェア又はそれらの組合せを介して適宜実施される機能を有し得ることが理解されるべきである。さらに、ともに取り入れられるここに記載される所定の要素は適当な環境下でスタンドアロン要素であってもよいし或いは分割されていてもよいことが理解されるべきである。同様に、一特定要素によって実行されるものとして記載される複数の特定の機能が、個々の機能を実行するように独立して挙動する複数の個別の要素によって実行されてもよいし、特定の個々の機能が、協働して挙動する複数の個別の要素に分けられて実行されてもよい。或いは、互いに別個のものとしてここに記載又は図示される幾つかの要素又は部材は適切な態様で物理的又は機能的に組み合わされてもよい。
【００２９】
まとめると、本明細書は好適な実施例を参照して記述されている。明らかに、修正例及び変形例は本明細書を読み理解すれば他者において想到できる。それらが以降の特許請求又はその均等の範囲内に入る限り、本発明は全てのそのような修正例及び変形例を含むものとして解釈されることが意図される。
【図１】
0005675354.tif 000002
【図２】
0005675354.tif 000003